(57)【要約】【課題】  蓋、側壁、底の全面を一体成形して容器成形の手間を省くと共に、その成形工程で印刷も同時に行うことができる分別容器を提供する。【解決手段】  Ｎ面体の容器であって、底体と、該底体を複数に区画するように前記底体に立ち上げてなる仕切壁と、前記底体の各辺にヒンジを介して拡開可能に設けた側壁体と、さらに前記側壁体にヒンジを介して一体的に設けた蓋体とからなり、前記蓋体は中心から外向きに開閉可能であり、且つ、前記側壁体および蓋体は展開した状態で前記底体と面一となるように一体成形される。また、底体は正Ｎ角形としたり、底体の中央に該底体と相似形の周壁からなる柱体を設け、該柱体の先端と蓋体の先端に着脱可能な係合部を設けることもある。さらに、底体には蓋体とのヒンジより内側に位置して、底体の各辺と平行する内壁体を設けることもある。【選択図】        図１
2005075390.tif 000002
【特許請求の範囲】
【請求項１】
Ｎ面体の容器であって、底体と、該底体を複数に区画するように前記底体に立ち上げてなる仕切壁と、前記底体の各辺にヒンジを介して拡開可能に設けた側壁体と、さらに前記側壁体にヒンジを介して一体的に設けた蓋体とからなり、前記蓋体は中心から外向きに開閉可能であり、且つ、前記側壁体および蓋体は展開した状態で前記底体と面一となるように一体成形されることを特徴とした分別用容器。
【請求項２】
底体は正Ｎ角形である請求項１記載の分別用容器。
【請求項３】
底体の中央に該底体と相似形の周壁からなる柱体を設け、該柱体の先端と蓋体の先端に着脱可能な係合部を設けた請求項１または２記載の分別用容器。
【請求項４】
底体には蓋体とのヒンジより内側に位置して、底体の各辺と平行する内壁体を設けた請求項１、２または３記載の分別用容器。
【請求項５】
側壁体と内壁体に互いに合致する係止手段を設けた請求項４記載の分別用容器。
【請求項６】
仕切壁を円弧状とすると共に、側壁体と蓋体とのヒンジを省略し、ドーム状に組み立てられる請求項１から５のうち何れか一項記載の分別用容器。
【発明の詳細な説明】
【技術分野】
【０００１】
この発明は、複数に区画された小室に、お菓子、薬、釣りの仕掛けなど、小物を分別して収容する容器に係り、より詳しくは容器成型時に上下、側面全て同時に印刷を施すことができる分別用容器を提供するものである。
【背景技術】
【０００２】
従来、この種の分別容器としては、内部を放射状の仕切壁によって等分に分割し、複数の小室に区画した箱状本体に、開口可能な回転蓋を備え、前記開口が目的の小室と合致するように回転蓋を回転させるものが公知である（特許文献１参照）。
【０００３】
また、上下・側面の全てを一体成形し、内部を放射状の仕切壁によって等分に分割すると共に、各小室ごとに別個独立に開閉可能とした蓋を備えてなる分別容器も公知である。この一体成形型の分別容器には、蓋を内に向かって開くものと、外に向かって開くものの二種類があるが、内に向かって開くものにあっては、蓋が末広がりの形状となる関係上、隣接する小室の蓋を同時に開けると互いの蓋が干渉してしまい、このような同時開閉が行いにくい。よって、蓋を外向きに開くようにした構造とすることが便宜である。
【０００４】
【特許文献１】特開平９−４００３８号公報
【発明の開示】
【発明が解決しようとする課題】
【０００５】
しかしながら、特許文献１に開示の分別容器は、蓋体が箱状本体と別に成形されるため、成形に手間がかかる。
【０００６】
これに対して、上下・側面の全てを一体成形してなる後者の分別容器は、一度の成形で済むという利点があり、本発明容器もその利点を踏襲するものであるが、前者容器と共通する従来技術の課題として次のような問題がある。即ち、この種容器では、蓋に小室ごとの内容物を特定するためのインデックス（内容物の名称、番号等）をシルクスクリーンなどの印刷によって表示することがある。しかしながら、当該印刷を施すには、蓋を閉めた状態で行わなければならず、蓋が開いた状態で成形される容器の当該成形工程と連続して印刷を施すことはできない。また、印刷は、装飾性や宣伝効果などを高めるために、蓋のみならず、側面や底面に至るまで広範囲に行いたいと要望がある。しかし、これもまた容器の成形工程で連続して行うことができないばかりか、各面を同時に印刷することもできない。
【０００７】
本発明はこうした課題を解決するためになされたもので、その目的とするところは、蓋、側壁、底の全面を一体成形して容器成形の手間を省くと共に、その成形工程で印刷も同時に行うことができる分別容器を提供することである。
【課題を解決するための手段】
【０００８】
上述した目的を達成するために本発明では、Ｎ面体の容器であって、底体と、該底体を等分割に区画するように前記底体に立ち上げてなる仕切壁と、前記底体の各辺にヒンジを介して拡開可能に設けた側壁体と、さらに側壁体にヒンジを介して一体的に設けた蓋体とからなり、前記蓋体は中心から外向きに開閉可能であり、且つ、前記側壁体および蓋体は展開した状態で前記底体と面一となるように一体成形するという手段を用いた。底体は正Ｎ角形とすることもある。
【０００９】
また請求項３では、底体の中央に該底体と相似形の周壁からなる柱体を設け、該柱体の先端と蓋体の先端に着脱可能な係合部を設けるという手段を用いた。さらに、請求項４では、底体には蓋体とのヒンジより内側に位置して、底体の各辺と平行する内壁体を設けるという手段を用いた。
【００１０】
また請求項５では、側壁体と内壁体に互いに合致する係止手段を設けるという手段を用いた。
【００１１】
さらに請求項６では、仕切壁を円弧状とすると共に、側壁体と蓋体とのヒンジを省略し、ドーム状に組み立てられる容器とした。
【発明の効果】
【００１２】
上記手段を採用した本発明によれば、側壁体および蓋体は展開した状態で底体と面一となるように一体成形されるため、容器の成形工程と連続して蓋体に所望の印刷を施すことができる。また印刷は蓋体だけではなく、側壁体や底体にも同時に印刷することができ、多彩な印刷を容器成形工程と連続して行うことができるようになった。また、側壁体も蓋体と同時に開くことができるため、蓋体のみをあける場合に比べて開口が大きくなり、内容物の出し入れもしやすい。さらに、内壁体を設けた容器にあっては、側壁体を開いた場合であっても内壁体によって内容物の不用意な脱落を防止できる。また、内壁体は側壁体との係止手段としても機能するから、例えば側壁体の展開を防止したい場合、容器を接着剤の効果が低い素材で成形する場合であっても、該係止手段を選択的にはめ殺し等とすることによって側壁体の展開を構造的に規制することが可能となる。さらに、ドーム状に組み立てられる容器にあっては、上述した効果に加え、角張った部分のない柔らかくモダンな意匠としても審美性を醸すことになる。
【発明を実施するための最良の形態】
【００１３】
以下、本発明の好ましい実施の形態を添付した図面に従って説明する。図１は容器の一部展開斜視図、図２はその組み立て図、図３は全展開平面図である。本容器は、正六角形の多面体からなり、底体１に中央から角に向かって放射状に設けられた仕切壁２によって、内部を６つの小室３に区画してなる。また、底体１の各辺からはヒンジ４を介して別個独立の四角形状の側壁体５を一体的に設けると共に、側壁体５にヒンジ６を介して台形状の蓋体７を底体１から連続して一体的に設けている。この蓋体７もまた、小室３ごとに別個独立して設けられる。
【００１４】
各蓋体７の先端には爪８が設けられており、底体１の中央に設けた六角筒状の中空柱体９の爪１０と係合することによって、蓋体７の開閉を行うようにしている。これら爪８・１０による係止手段によって、蓋体７の開閉は別個独立して行うことができるのはもちろん、蓋体７は内から外向きに開くため、隣接する蓋体７を同時に開いた場合でも、互いに干渉することなく、蓋体７の開閉を行うことができる。
【００１５】
このように蓋体７および側壁体５は、底体１と一体成形され、しかも当該工程では全面が底体１と面一の展開状態となるため、その展開状態のまま容器の成形工程と連続して所望の面に所望の印刷を施すことができる。印刷は蓋体７のみに行うことも、側壁体５や底体１も含めて行うこともできる。また、印刷方法はシルクスクリーンによるのが一般的であろうが、特に限定するものではない。
【００１６】
さらに、本発明によれば、蓋体７のみでなく、側壁体５も開くことができるため、その分、開口が大きく確保され、内容物の出し入れが行いやすいという効果もある。
【００１７】
さらに、この実施形態の場合、底体１には、側壁体５とのヒンジ６よりも内側に位置して、内壁体１１が立設されている。この内壁体１１は底体１の各辺と平行して設けられるものであり、この実施形態の場合、容器の高さのほぼ半分、即ち仕切壁２のほぼ半分の高さに設定されている。そして、この内壁体１１は側壁体５を展開した場合に内容物の不用意な脱落を防止する作用を行う他、側壁体５と合致する凹凸の係止手段１２・１３を設けており、ヒンジ６から折曲して側壁体５を立体状に組み立てたときの形状保持作用も行う。なお、内壁体１１は省略することも、その高さをさらに低くしたり、容器（仕切壁２）と同じ高さすることも自由である。また、内壁体１１および／または仕切壁２は、必ずしも底体１と一体成形するものではなく、例えば底体１と一体の立ち上がり溝を形成しておき、該溝に内壁体１１および／または仕切壁２を差し込むなどして、取り外し可能に構成することも可能である。さらに、側壁体５との係止手段１２・１３も省略して、側壁体５を接着等、その他の適宜な手段によって形状保持することも可能である。ただし、この種容器の成形材料がポリプロピレンであって、これを対象とする接着剤が少ないことや、接着工程の煩雑さ、仕上がり具合を考慮すれば、構造的に係止する手段を採用することが好ましい。その場合の係止手段は、上記内壁体５を採用する場合はこれに設けるのが利便であるが、仕切壁２に設けたり、側壁体５の両サイドに設けることも排除するものではない。さらに、係止手段は適宜着脱自在に開閉できる他、はめ殺し等によって永久的に閉じた状態に形状保持するものも選択することができる。
【００１８】
図４は、第二実施形態に係る本発明容器であって、第一実施形態からの変更点は、仕切壁２０を中央に向かって高くなるように傾斜させ、もって蓋体２１を組み立てたとき、全体として山形となるようにしたところにある。このような構成にあっては、蓋体２１が大きく確保され、もって開口を大きく確保できると共に、外観に新鮮さを与える。
【００１９】
図５は、第三実施形態に係る本発明容器を示したものであり、第一・第二実施形態とは異なり、蓋体と側壁体とのヒンジ構造を省略し、両者を完全に一つのものとして一体化した新たな蓋体３０を構成したところにある。また、仕切壁３１は円弧状に形成される。よって、この構造によれば、蓋体３０のみの展開で小室３２全体が開口されるため、簡易に開口を大きく確保できる。また、蓋体３０を閉じた状態では、容器外観がドーム状となるため、角張った部分がない柔らかくモダンな意匠を醸すことができる。
【００２０】
図６は、第四実施形態に係る本発明容器を示したものであり、底体４０を正方形とし、その中央から各辺の中央に向かって十文字状の仕切壁４１を立ち上げると共に、各辺の半分に拡開不能な側壁体４２を設ける一方、各辺の残り半分にヒンジ４３を介して拡開可能な側壁体４４とこれと連続して蓋体４５を設けてなる。なお、蓋体４５の先端と蓋体４５と対向する仕切壁４１の先端には互いに係合する凹凸状の係合部４６・４７を設けている。この実施形態では、拡開不能な側壁体４２を除いては、底体４０、拡開可能な側壁体４４、蓋体４５が面一に展開されるから、これらに成形工程と連続して印刷を施すことができる。
【００２１】
なお、ここまで説明した実施形態は何れも、底体を正六角形としたが、これに限らず、正三角形であってもよいし、それ以上の正Ｎ角形でもよい。これはその容器の用途や目的に応じて幾つの小室に区画するかの選択的要因でしかない。また、本容器の用途、即ち内容物を何とするかも自由である。本発明で必要なことは、その成型時に側壁体および蓋体が展開した状態で底体と面一となるように一体成形することであって、これを逸脱しない範囲は全て本発明に含まれるのである。
【００２２】
図７は、第五実施形態に係る本発明容器を示したものであり、該実施形態にあっては、底体５０を正Ｎ角形とせず、花びら状としてる。つまり、本発明においては底体を正Ｎ角形とする必要はない。なお、その他、周壁の一部を拡開可能な側壁体５１とし、これと連続して蓋体５２を設け、該蓋体５２の先端爪５３と、底体５０中央に設けた底体５０と相似形の周壁を持つ柱体５４の先端爪５４とを係合させることは、上記実施形態と同じであり、当該構成による作用効果も同様のものが得られる。
【図面の簡単な説明】
【００２３】
【図１】第一実施形態に係る本発明容器の一部を展開した斜視図
【図２】同、組み立て図
【図３】同、全展開平面図
【図４】第二実施形態に係る本発明容器の斜視図
【図５】第三実施形態に係る本発明容器の斜視図
【図６】第四実施形態に係る本発明容器の斜視図
【図７】第五実施形態に係る本発明容器の斜視図
【符号の説明】
【００２４】
１  底体
２  仕切壁
３  小室
４、６  ヒンジ
５  側壁体
７  蓋体
８、１０  爪
９  中空柱体
１１  内壁体
１２・１３  係止手段
【図１】
2005075390.tif 000003
【図２】
2005075390.tif 000004
【図３】
2005075390.tif 000005
【図４】
2005075390.tif 000006
【図５】
2005075390.tif 000007
【図６】
2005075390.tif 000008
【図７】
2005075390.tif 000009